(57)【要約】【課題】板バネ形状を使用せずにマガジン内でのファスナーの足絡みを防止することができる打込み工具を提供する。【解決手段】複数のファスナー５１を連結材５２で連結してコイル状に巻回した連結ファスナー５０を収納するマガジン３０を備え、前記マガジン３０の前部に連結ファスナー５０を引き出すための開口３０ａを形成し、該開口３０ａから引き出された連結ファスナー５０を打込み位置に案内する経路上において、連結ファスナー５０の側部を支持する側部支持部３１ａを備え、前記側部支持部３１ａは、ファスナー５１の足先が内周側に倒れないように姿勢を保持するための姿勢保持部３１ｃを備えるようにした。【選択図】図９
2014231134.tif 000002
【特許請求の範囲】
【請求項１】
複数のファスナーを連結材で連結してコイル状に巻回した連結ファスナーを収納するマガジンを備えた打込み工具であって、
前記マガジンの前部に連結ファスナーを引き出すための開口を形成し、該開口から引き出された連結ファスナーを打込み位置に案内する経路上において、連結ファスナーの側部を支持する側部支持部を備え、
前記側部支持部は、ファスナーの足先が内周側に倒れないように姿勢を保持するための姿勢保持部を備えていることを特徴とする、打込み工具。
【請求項２】
前記側部支持部には、ファスナーの上下移動を規制するファスナー位置規制部が設けられていることを特徴とする、請求項１記載の打込み工具。
【請求項３】
前記姿勢保持部は、ファスナーの足先に臨む位置に形成された突出部であることを特徴とする、請求項１又は２記載の打込み工具。
【請求項４】
前記側部支持部に対向して設けられたカバー部を備え、
前記カバー部は、ファスナーの頭部を覆うとともに、ファスナーの足先を露出させていることを特徴とする、請求項１〜３のいずれかに記載の打込み工具。
【発明の詳細な説明】
【技術分野】
【０００１】
この発明は、複数のファスナーを連結材で連結してコイル状に巻回した連結ファスナーを使用する打込み工具に関し、特に、マガジン内でファスナーが絡みにくい構造とした打込み工具に関する。
【背景技術】
【０００２】
コイル状に巻回した連結ファスナーを使用する打込み工具は、連結ファスナーを収容する円筒状のマガジンを備えている。マガジンの内部空間は連結ファスナーの最大径を考慮した大きさとなっているため、ファスナーを使用していくにつれて連結ファスナーの径が小さくなると、マガジン内での連結ファスナーの可動範囲が大きくなっていく。このように連結ファスナーの可動範囲が大きくなると、ファスナー打込み時の振動でマガジン内のファスナーが暴れ、ファスナーが絡まってしまうおそれがある。具体的には、内周側のファスナーの足先が外周側のファスナーを連結する連結材に絡まってしまう「足絡み」が発生するおそれがある。このようにファスナーの足絡みが発生すると連結ファスナーを正常に送れなくなる問題が発生する。
【０００３】
特に、山型に巻回した連結ファスナー（例えばＮＣ釘）を使用する場合、ファスナーの使用に伴って連結ファスナーの高さ寸法が低くなっていくと、マガジン内で連結ファスナーが上下動する可動範囲が大きくなっていくため、ファスナーが絡まる問題が発生し易い。
【０００４】
このような問題を回避する方法としては、例えば、マガジンの上部に板バネ形状を設け、この板バネ形状によってマガジン内部のファスナーの移動を規制するものが知られている（例えば特許文献１参照）。
【先行技術文献】
【特許文献】
【０００５】
【特許文献１】実公平７−５３９００号公報
【発明の概要】
【発明が解決しようとする課題】
【０００６】
しかし、上記した従来の方法では、マガジンに一体的に板バネ形状を形成しようとすると金型構造上の制約を受けるため、マガジンの形状に自由度を持たせることができないという問題があった。
【０００７】
また、マガジンに対して別部材で板バネ形状を形成した場合には、金型構造上の制約は小さいものの、部品点数増によるコストアップや重量アップの問題があった。
【０００８】
そこで、本発明は、板バネ形状を使用せずにマガジン内でのファスナーの足絡みを防止することができる打込み工具を提供することを課題とする。
【課題を解決するための手段】
【０００９】
本発明は、上記した課題を解決するためになされたものであり、以下を特徴とする。
【００１０】
（請求項１）
請求項１に記載の発明は、以下の点を特徴とする。
すなわち、請求項１に記載の打込み工具は、複数のファスナーを連結材で連結してコイル状に巻回した連結ファスナーを収納するマガジンを備えた打込み工具であって、前記マガジンの前部に連結ファスナーを引き出すための開口を形成し、該開口から引き出された連結ファスナーを打込み位置に案内する経路上において、連結ファスナーの側部を支持する側部支持部を備え、前記側部支持部は、ファスナーの足先が内周側に倒れないように姿勢を保持するための姿勢保持部を備えていることを特徴とする。
【００１１】
（請求項２）
請求項２に記載の発明は、上記した請求項１記載の発明の特徴点に加え、以下の点を特徴とする。
すなわち、前記側部支持部には、ファスナーの上下移動を規制するファスナー位置規制部が設けられていることを特徴とする。
【００１２】
（請求項３）
請求項３に記載の発明は、上記した請求項１又は２記載の発明の特徴点に加え、以下の点を特徴とする。
すなわち、前記姿勢保持部は、ファスナーの足先に臨む位置に形成された突出部であることを特徴とする。
【００１３】
（請求項４）
請求項４に記載の発明は、上記した請求項１〜３のいずれかに記載の発明の特徴点に加え、以下の点を特徴とする。
すなわち、前記側部支持部に対向して設けられたカバー部を備え、前記カバー部は、ファスナーの頭部を覆うとともに、ファスナーの足先を露出させていることを特徴とする。
【発明の効果】
【００１４】
本発明者らの分析によれば、ファスナーの「足絡み」は、マガジンの開口から引き出されて打込み位置に誘導されるためにマガジンの開口付近において頭部を押えられて上下動が規制されている最外周のファスナーに対し、その内側に位置しているファスナーが大きく上下動することにより発生していると考えられる。すなわち、最外周のファスナーとその内側に位置しているファスナーとが相対的に上下に変位すると、最外周のファスナーを連結する連結材にその内周に位置しているファスナーの足先が引っ掛かり、足絡みが発生していると考えられる。
【００１５】
特に、連結ファスナーが引っ張られるなどして締め付けられると、足先は頭部に比べて小さいため、足先が内周側に傾く現象が発生する（図１０参照）。図１０に示すように、最外周のファスナーの足先が内周側に向いて傾いているときに、その内側に位置しているファスナーが上下動すると、最外周のファスナーに交差するように上から内側のファスナーの足先が入り込む場合がある。このとき最外周のファスナーを連結する連結材の外側に内側のファスナーの足先が入り込むと足絡みが発生する。
【００１６】
この点、請求項１に記載の発明は上記の通りであり、マガジンの開口から引き出された連結ファスナーを打込み位置に案内する経路上において、連結ファスナーの側部を支持する側部支持部を備え、前記側部支持部は、ファスナーの足先が内周側に倒れないように姿勢を保持するための姿勢保持部を備えている。このような構成によれば、最外周のファスナーの足先が内周側に倒れないように姿勢を保持されているため、最外周のファスナーの足先とその内側のファスナーの足先との距離が離れるようになっており、両者の足先が交差して上記したような足絡みが発生することを有効に防止することができる。
【００１７】
また、従来のようにマガジン内の空間を規制することでファスナーの暴れを防止する構造ではないので、厳密にマガジン内の空間調整を行わなくても、多種類のファスナーや、コイル状に巻回した連結ファスナーの径が使用するにつれて小さくなった場合にも対応することができる。
【００１８】
また、請求項２に記載の発明は上記の通りであり、前記側部支持部には、ファスナーの上下移動を規制するファスナー位置規制部が設けられている。このため、ファスナーを打込み位置に安定して案内することができる。
【００１９】
なお、このように最外周のファスナーの上下移動を規制した場合には、最外周のファスナーが内側のファスナーと一体的に上下動することがないため、最外周のファスナーに対してその内側に位置しているファスナーが相対的に大きく上下動することとなる。しかしながら、本発明は、上記したように姿勢保持部を備えているため、最外周のファスナーに対してその内側に位置しているファスナーが相対的に大きく上下動した場合でも、両者の足先が交差することを防止でき、ファスナーの足絡みを有効に防止することができる。
【００２０】
また、請求項３に記載の発明は上記の通りであり、前記姿勢保持部は、ファスナーの足先に臨む位置に形成された突出部である。すなわち、ファスナーの足先に臨む位置にのみ突出部を設けた構成であるため、突出部の他に特別な機構を設ける必要がなくマガジンや工具本体のサイズを大きくしなくてもファスナーの姿勢を保持することができる。
【００２１】
また、請求項４に記載の発明は上記の通りであり、前記側部支持部に対向して設けられたカバー部を備え、前記カバー部は、ファスナーの頭部を覆うとともに、ファスナーの足先を露出させている。このような構成によれば、カバー部でファスナーの頭部をしっかりと保持することができるとともに、姿勢保持部によってファスナーの足先を外周側に振った場合でも、ファスナーの足先とカバー部との干渉を防止することができる。
【図面の簡単な説明】
【００２２】
【図１】打込み工具の側面図である。
【図２】マガジン及びドア部材を開放した打込み工具の側面図である。
【図３】マガジン及びドア部材を開放し、連結ファスナー（一部省略）を装着した打込み工具の側面図である。
【図４】連結ファスナーを装着した打込み工具の側面図である。
【図５】マガジン主体がファスナーを案内する様子を示す説明図である。
【図６】マガジン主体の（ａ）側面図、（ｂ）Ｘ−Ｘ断面図である。
【図７】マガジン主体の斜視図である。
【図８】（ａ）マガジンの斜視図、（ｂ）ネイルサポートを取り除いたマガジンの斜視図である。
【図９】マガジン主体がファスナーを案内する様子を示す説明図であって、（ａ）平面図、（ｂ）Ｚ−Ｚ断面図、（ｃ）Ｙ−Ｙ断面図、（ｄ）側面図である。
【図１０】従来のマガジン主体がファスナーを案内する様子を示す説明図であって、（ａ）平面図、（ｂ）Ｚ'−Ｚ'断面図、（ｃ）Ｙ'−Ｙ'断面図、（ｄ）側面図である。
【発明を実施するための形態】
【００２３】
本発明の実施形態について、図を参照しながら説明する。
本実施形態にかかる打込み工具１０は、圧縮空気を利用してファスナー５１を打ち込む空気圧式打込み工具であり、図１に示すように、ノーズ部１３を備えた工具本体１１と、ノーズ部１３の側方において工具本体１１に連設されたマガジン３０と、を備えている。
【００２４】
工具本体１１は、ボデーハウジング１２とグリップハウジング１６とが略直角に連設されて構成されている。ボデーハウジング１２の内部には、特に図示しないが、打撃シリンダが配置されており、この打撃シリンダ内には打撃ピストンが摺動自在に収容されている。打撃ピストンの下面にはファスナー５１を打撃するためのドライバが結合して設けられており、打撃ピストンが作動したときにドライバでファスナー５１を打ち込むことができるようになっている。
【００２５】
ボデーハウジング１２の下方先端にはファスナー５１を射出するためのノーズ部１３が設けられており、前記したドライバはノーズ部１３の方向へと摺働可能に案内されている。なお、ノーズ部１３の後方にはファスナー供給機構が設けられている。このファスナー供給機構は、図２、図３に示すように、ファスナー５１を順次ノーズ部１３に供給するファスナー送り部材２０を備えている。このファスナー送り部材２０は、打込み動作に連動して進退動作するようになっており、ファスナー５１の軸部を掴んで送るための送り爪２１を使用して、マガジン３０内の連結ファスナー５０を順次ノーズ部１３内へと供給する送り動作を実行する。
【００２６】
ノーズ部１３の先端には、ノーズ部１３に対して上下動可能に配置されて被打ち込み材に押し付けられるコンタクトノーズ１４が配置されている。このコンタクトノーズ１４は、ノーズ部１３の先端に摺動可能に取り付けられている。このコンタクトノーズ１４は、打込み工具１０の安全装置を構成するコンタクトアームに連結されており、コンタクトノーズ１４が被打ち込み材に押し付けられて摺動すると、一体的にコンタクトアームが上動するようになっている。コンタクトアームが上動することで、トリガ１７の操作が有効となるように形成されている。
【００２７】
具体的には、コンタクトノーズ１４を被打ち込み材に押し付けた状態でトリガ１７を操作すると（またはトリガ１７を操作した状態でコンタクトノーズ１４を被打ち込み材に押し付けると）、グリップハウジング１６後端のエンドキャップ部１８に接続されたエアコンプレッサ等のエア供給源から供給された圧縮空気が打撃シリンダ内へ供給され、この圧縮空気が打撃ピストンに作用して打撃ピストンが駆動し、打撃ピストンに結合されたドライバが先頭ファスナー５１を打撃する。このとき、ドライバ及びファスナー５１はコンタクトノーズ１４内部の射出経路によって姿勢を安定的にガイドされており、コンタクトノーズ１４の先端に開口した射出口１５からファスナー５１が打ち出される。
【００２８】
マガジン３０は、複数のファスナー５１を連結材５２（本実施形態においては連結ワイヤ）で連結してコイル状に巻回した連結ファスナー５０を収納するものであって、図２等に示すように、マガジン主体３１と、マガジンキャップ３２と、ネイルサポート３５と、を備えている。
【００２９】
図２及び図５に示すように、マガジン主体３１は、工具本体１１に固定される半円筒状の部材であり、また、マガジンキャップ３２は、マガジン主体３１に対してヒンジ３３を介して回動可能に取り付けられた部材である。このマガジン主体３１とマガジンキャップ３２とを閉じることで、円筒状のマガジン３０の外形が形成されるようになっており、逆に、マガジンキャップ３２を開き方向に回動させることにより、円筒状のマガジン３０が中央から割れて大きく開口し、マガジン３０の内部を開放するようになっている。
【００３０】
マガジン３０のノーズ部１３側の前部には、図１に示すように、連結ファスナー５０を引き出すための開口３０ａが形成されている。この開口３０ａから引き出された連結ファスナー５０は、ノーズ部１３の方向へと案内され、先頭のファスナー５１がドライバの直下に位置するように案内される。
【００３１】
マガジン主体３１は、図６及び図７に示すように、上記した開口３０ａを形成する縁部がノーズ部１３の方向へと延出して、側部支持部３１ａを形成している。この側部支持部３１ａは、開口３０ａから引き出された連結ファスナー５０を打込み位置に案内する経路上において連結ファスナー５０の側部を支持している。言い換えると、この側部支持部３１ａは、開口３０ａから引き出された連結ファスナー５０の側部を支持することで、連結ファスナー５０をノーズ部１３へと案内する案内経路３０ｂを形成している。
【００３２】
この側部支持部３１ａは、図６及び図７に示すように、ファスナー５１の足先に臨む位置に、平面視で山型に突出形成された突出部３１ｃを備えている。この突出部３１ｃは、ファスナー５１の足先が内周側に倒れないように姿勢を保持するための姿勢保持部として機能する。すなわち、この突出部３１ｃが設けられていることで、マガジン３０の開口３０ａ付近を通過するファスナー５１の足先が、コイル状に巻回した連結ファスナー５０の外周方向に振られるようになっている。詳しくは、図５に示すように、ファスナー５１の通過経路上に突出部３１ｃが突出しているため、マガジン３０の開口３０ａ付近をファスナー５１が通過する際にファスナー５１の足先寄りの軸部が突出部３１ｃに乗り上げ、連結ファスナー５０の外周方向にファスナー５１の足先が向くように誘導される。
【００３３】
なお、この突出部３１ｃの側面（マガジン３０の内周面３１ｆに連続する面）は、図６（ｂ）に示すように、マガジン主体３１の内周面３１ｆよりもファスナー５１の送り方向側に傾斜することで、誘導面３１ｄを形成している。この誘導面３１ｄが形成されることで、ファスナー５１の足先寄りの軸部が突出部３１ｃに乗り上げる際に、ファスナー５１が緩やかに徐々に傾いていくようになっており、ファスナー５１が突出部３１ｃに引っ掛かりにくい構造となっている。
【００３４】
また、この側部支持部３１ａには、図６及び図７に示すように、ファスナー５１の頭部に係合するガイド溝３１ｂが形成されている。このガイド溝３１ｂは、連結ファスナー５０の送り方向に沿って延設されており、ファスナー５１の上下移動を規制するファスナー位置規制部を構成している。このガイド溝３１ｂが形成されることで、連結ファスナー５０がノーズ部１３の方法へと安定して案内される。
【００３５】
マガジンキャップ３２は、図３及び図４に示すように、上記した開口３０ａを形成する縁部がノーズ部１３の方向へと延出して、カバー部３２ａを形成している。このカバー部３２ａは、マガジン主体３１の側部支持部３１ａに対向して設けられている。このカバー部３２ａは、側部支持部３１ａに支持されたファスナー５１の全長を覆うように設けられるのではなく、ファスナー５１の頭部のみを覆うように設けられている。言い換えると、このカバー部３２ａは、側部支持部３１ａに支持されたファスナー５１の足先を覆わずに露出させている。このため、ファスナー５１の頭部は、マガジン主体３１の側部支持部３１ａとマガジンキャップ３２のカバー部３２ａとによって挟み込まれて安定して支持される一方、ファスナー５１の足先は、突出部３１ｃによって外側に振られた場合でもカバー部３２ａと干渉しないようになっている。
【００３６】
ネイルサポート３５は、連結ファスナー５０が載置されて支持される円形の底板部３５ｂと、この底板部３５ｂの中央部に立設されたネイルポスト３５ａと、を一体的に備える部材である。本実施形態に係るネイルサポート３５は、ネイルポスト３５ａの軸を中心に手動で回転させることによって上下に移動するようになっている。このようにネイルサポート３５を上下に移動させることで、ネイルサポート３５のマガジン３０内における高さ位置が調節可能となっている。なお、特に説示しないが、ネイルサポート３５を回転させることにより上下に移動させる構造の具体的な機構については公知の機構を使用すればよい。
【００３７】
なお、本実施形態においては、図８に示すように、ネイルサポート３５の底板部３５ｂの底面に当接するように、マガジン３０の内部（マガジン主体３１及びマガジンキャップ３２の内側底面）にリブ３１ｅ、３２ｂが形成されている。このため、ネイルサポート３５の底板部３５ｂがリブ３１ｅ、３２ｂによって下方から支持されるようになっており、ネイルサポート３５のガタつきが抑制されるようになっている。このため、マガジン３０内で連結ファスナー５０が暴れようとしたときに、連結ファスナー５０の上下動が制限されるようになっており、連結ファスナー５０の足絡み防止に効果を発揮するようになっている。なお、ネイルポスト３５ａを長くすることによってファスナー５１の可動範囲を制限することでも連結ファスナー５０の足絡み防止に効果を発揮することができる。
【００３８】
ところで、コイル状に巻回した連結ファスナー５０がマガジン３０内で暴れることによるファスナー５１の足絡みは、マガジン３０の開口３０ａ付近において頭部を押えられて上下動が規制されている最外周のファスナー５１に対し、その内側に位置しているファスナー５１が大きく上下動することにより発生していると考えられる。すなわち、最外周のファスナー５１とその内側に位置しているファスナー５１とが相対的に上下に変位すると、最外周のファスナー５１を連結する連結材５２にその内周に位置しているファスナー５１の足先が引っ掛かり、足絡みが発生していると考えられる。
【００３９】
特に、連結ファスナー５０が引っ張られるなどして締め付けられると、足先は頭部に比べて小さいため、足先が内周側に向く場合がある（図１０参照）。図１０に示すように、最外周のファスナー５１の足先が内側に向いて傾いているときに、その内側に位置しているファスナー５１が上下動すると、最外周のファスナー５１に交差するように上から内側のファスナー５１の足先が入り込む場合がある。このとき最外周のファスナー５１を連結する連結材５２の外側に内側のファスナー５１の足先が入り込むと足絡みが発生する。
【００４０】
しかしながら、上記した本実施形態によれば、マガジン３０の開口３０ａから引き出された連結ファスナー５０を打込み位置に案内する経路上において、連結ファスナー５０の側部を支持する側部支持部３１ａを備え、前記側部支持部３１ａは、ファスナー５１の足先が内周側に倒れないように姿勢を保持するための姿勢保持部（突出部３１ｃ）を備えている。このような構成によれば、最外周のファスナー５１の足先が内周側に倒れないように姿勢を保持されているため、図９に示すように最外周のファスナー５１の足先とその内側のファスナー５１の足先との距離が離れるようになっており、両者の足先が交差して上記したような足絡みが発生することを有効に防止することができる。
【００４１】
また、従来のようにマガジン３０内の空間を規制することでファスナー５１の暴れを防止する構造ではないので、厳密にマガジン３０内の空間調整を行わなくても、多種類のファスナー５１や、コイル状に巻回した連結ファスナー５０の径が使用するにつれて小さくなった場合にも対応することができる。
【００４２】
また、前記側部支持部３１ａには、ファスナー５１の上下移動を規制するファスナー位置規制部（ガイド溝３１ｂ）が設けられている。このため、ファスナー５１を打込み位置に安定して案内することができる。
【００４３】
なお、このように最外周のファスナー５１の上下移動を規制した場合には、最外周のファスナー５１が内側のファスナー５１と一体的に上下動することがないため、最外周のファスナー５１とその内側に位置しているファスナー５１とが相対的に大きく上下動することとなる。しかしながら、本実施形態においては、上記したように姿勢保持部を備えているため、最外周のファスナー５１に対してその内側に位置しているファスナー５１が相対的に大きく上下動した場合でも、両者の足先が交差することを防止でき、ファスナー５１の足絡みを有効に防止することができる。
【００４４】
また、前記姿勢保持部は、ファスナー５１の足先に臨む位置に形成された突出部３１ｃである。すなわち、ファスナー５１の足先に臨む位置にのみ突出部３１ｃを設けた構成であるため、姿勢保持部以外に特別な機構を設ける必要がなくマガジン３０や工具本体１１のサイズを大きくしなくてもファスナー５１の姿勢を保持することができる。
【００４５】
また、前記側部支持部３１ａに対向して設けられたカバー部３２ａを備え、前記カバー部３２ａは、ファスナー５１の頭部を覆うとともに、ファスナー５１の足先を露出させている。このような構成によれば、カバー部３２ａでファスナー５１の頭部をしっかりと保持することができるとともに、姿勢保持部によってファスナー５１の足先を外周側に振った場合でも、ファスナー５１の足先とカバー部３２ａとの干渉を防止することができる。
【００４６】
なお、上記した実施形態においては、突出部３１ｃによってファスナー５１の足先が外周方向に向くように誘導されることとしたが、本発明の実施形態としては、少なくともファスナー５１の足先が内周側に倒れないようになっていればよい。すなわち、突出部３１ｃなどの姿勢保持部によって、少なくともファスナー５１が垂直な状態を維持できるようになっていればよい。
【００４７】
なお、本実施形態ではマガジンキャップ３２のカバー部３２ａに開口３０ａを設けた形状にしているが、開口３０ａを設けず、マガジンキャップ３２のファスナー５１の足先側に相当する部位を外側に膨出させて、ファスナー５１の足先が外周側に振られた場合の干渉を防止させる形状にしてもよい。
【符号の説明】
【００４８】
１０  打込み工具
１１  工具本体
１２  ボデーハウジング
１３  ノーズ部
１４  コンタクトノーズ
１５  射出口
１６  グリップハウジング
１７  トリガ
１８  エンドキャップ部
１９  ドア部材
２０  ファスナー送り部材
２１  送り爪
３０  マガジン
３０ａ  開口
３０ｂ  案内経路
３１    マガジン主体
３１ａ  側部支持部
３１ｂ  ガイド溝（ファスナー位置規制部）
３１ｃ  突出部（姿勢保持部）
３１ｄ  誘導面
３１ｅ  リブ
３１ｆ  内周面
３２  マガジンキャップ
３２ａ  カバー部
３２ｂ  リブ
３３  ヒンジ
３５  ネイルサポート
３５ａ  ネイルポスト
３５ｂ  底板部
５０  連結ファスナー
５１  ファスナー
５２  連結材
【図１】
2014231134.tif 000003
【図２】
2014231134.tif 000004
【図３】
2014231134.tif 000005
【図４】
2014231134.tif 000006
【図５】
2014231134.tif 000007
【図６】
2014231134.tif 000008
【図７】
2014231134.tif 000009
【図８】
2014231134.tif 000010
【図９】
2014231134.tif 000011
【図１０】
2014231134.tif 000012